(57)【要約】【課題】読み取りガラスの裏面からガラス面に対し深い角度から光を照射する場合に比べて、読み取りガラス上のゴミや汚れを使用者に目視で見えやすくすることができる画像読取装置及び画像形成装置を提供する。【解決手段】移動する原稿が通過する原稿読み取り面を有するガラスと、副走査方向に移動可能であって、原稿に光を発光する発光部と原稿から反射した光を受光する受光部を備え原稿読み取り面を通過する原稿を読み取る画像読み取り手段と、発光部が発光した光がガラスの原稿読み取り面と交差する側面から入光するように光を発光する発光制御手段と、を備えた。【選択図】図６
2020178157.tif 000002
【特許請求の範囲】
【請求項１】
移動する原稿が通過する原稿読み取り面を有するガラスと、
副走査方向に移動可能であって、前記原稿に光を照射するように発光する発光部と前記原稿から反射した前記光を受光する受光部を備え前記原稿読み取り面を通過する前記原稿を所定の読み取り位置で読み取る画像読み取り手段と、
前記読み取り手段で原稿を読み取る動作とは異なる動作を行うとき、前記発光部が発光した前記光が前記ガラスの前記原稿読み取り面と交差する側面から入光するように前記光を発光する発光制御手段と、を備えた、
ことを特徴とする画像読取装置。
【請求項２】
前記発光制御手段は、前記画像読み取り手段が前記副走査方向において原稿読み取り位置とは異なる位置で前記発光部を発光させる、
ことを特徴とする請求項１に記載の画像読取装置。
【請求項３】
前記発光制御手段は、前記ガラスの前記原稿読み取り面と交差する側面から前記光を導光させる位置で前記発光部を発光させる、
ことを特徴とする請求項１に記載の画像読取装置。
【請求項４】
前記発光制御手段は、前記原稿読み取り面に沿った方向に前記光を導光する、
ことを特徴とする請求項１に記載の画像読取装置。
【請求項５】
前記発光制御手段は、原稿読み取り位置での前記ガラスに対する前記光の入射角度より浅い入射角度で前記光を導光する、  
ことを特徴とする請求項１に記載の画像読取装置。
【請求項６】
前記発光部から出斜した前記光を前記ガラスの前記原稿読み取り面と交差する側面から入射するように導光する導光部材を備えた、
ことを特徴とする請求項１ないし５のいずれか１項に記載の画像読取装置。
【請求項７】
前記導光部材は、前記ガラスの前記原稿読み取り面と交差する側面に設けられている、
ことを特徴とする請求項６に記載の画像読取装置。
【請求項８】
前記導光部材は、前記ガラスの前記原稿読み取り面と交差する側面に対して、前記原稿の移動方向における上流側に設けられている、
ことを特徴とする請求項６に記載の画像読取装置。
【請求項９】
前記導光部材は、一面から入射した前記光が内部で伝播させる間に前記一面と交差する他面から射出される導光体である、
ことを特徴とする請求項６に記載の画像読取装置。
【請求項１０】
前記導光部材は、入射した前記光が入射方向と交差する方向に射出される反射面を有する、
ことを特徴とする請求項６に記載の画像読取装置。
【請求項１１】
前記導光部材は、入射した前記光が入射方向と交差する方向に射出される拡散シートである、
ことを特徴とする請求項６に記載の画像読取装置。
【請求項１２】
前記導光部材は、前記ガラスの前記原稿読み取り面と交差する側面に対して、前記原稿の移動方向における下流側に設けられている、
ことを特徴とする請求項６に記載の画像読取装置。
【請求項１３】
前記導光部材は、前記ガラスの前記原稿の移動方向における下流側で前記原稿を案内する案内面の下部に設けられている、
ことを特徴とする請求項６に記載の画像読取装置。
【請求項１４】
前記ガラスの前記原稿読み取り面と交差する側面は前記原稿の移動方向における上流側に向かって傾斜している、
ことを特徴とする請求項１２又は１３に記載の画像読取装置。
【請求項１５】
前記発光部は、前記受光部を挟んで副走査方向における上流側と下流側にそれぞれ配置された２つの発光部からなり、前記導光手段に近い発光部が発光する、
ことを特徴とする請求項１ないし１３のいずれか１項に記載の画像読取装置。
【請求項１６】
原稿の画像を読み取る請求項１ないし１５のいずれか１項に記載の画像読取装置と、
前記画像読取装置で読み取った画像を記録媒体に記録する画像記録手段と、を備えた、
ことを特徴とする画像形成装置。
【発明の詳細な説明】
【技術分野】
【０００１】
本発明は、画像読取装置に関する。
【背景技術】
【０００２】
原稿読み取りガラス上で原稿画像を読み取る画像読取装置であって、原稿読み取りガラス上の原稿を照明するための照明手段と、ガラス清掃モードと、ガラス清掃モード時に、照明手段を点灯制御するための制御手段とを有する画像読取装置が知られている（特許文献１）。
【０００３】
原稿を原稿台ガラス上で一定速度で移動させながら画像を読取る画像読取装置であって、画像読取りによる画像信号に基づき黒スジ画像の発生の有無を検知する黒スジ画像検知手段と、黒スジ画像検知手段で黒スジ画像の発生を検知した場合は原稿台ガラス上にゴミや汚れが付着していると判断し、画像読取時の原稿からの反射光を画像読取系に導光する光学系の停止位置を変更する制御を行う制御手段とを有する画像読取装置も知られている（特許文献２）。
【先行技術文献】
【特許文献】
【０００４】
【特許文献１】特開２００６−１２９１６２号公報
【特許文献２】特開２００１−１４４９０１号公報
【発明の概要】
【発明が解決しようとする課題】
【０００５】
原稿読み取り装置は、読み取り部が原稿を読み取るための所定の位置で、読み取り部に設けられた光源が読み取りガラス上の原稿に対して光を照射し、原稿からの反射光をセンサーで受光することで原稿を読み取っているが、照射する光量が高く、特にＬＥＤ光源の場合は、光の直進性が高く、光源が照射する光を人が直接目視すると、読み取りガラス上の付着物が見づらい上に、眩しく感じる傾向にある。
【０００６】
本発明は、読み取り部が備える光源が読み取りガラスの裏面からガラス面に対し深い角度から光を照射する場合に比べて、使用者が目視で感じる光量が低減される画像読取装置及び画像形成装置を提供することを目的とする。
【課題を解決するための手段】
【０００７】
前記課題を解決するために、請求項１に記載の画像読取装置は、
移動する原稿が通過する原稿読み取り面を有するガラスと、
副走査方向に移動可能であって、前記原稿に光を照射するように発光する発光部と前記原稿から反射した前記光を受光する受光部を備え前記原稿読み取り面を通過する前記原稿を所定の読み取り位置で読み取る画像読み取り手段と、
前記読み取り手段で原稿を読み取る動作とは異なる動作を行うとき、前記発光部が発光した前記光が前記ガラスの前記原稿読み取り面と交差する側面から入光するように前記光を発光する発光制御手段と、を備えた、
ことを特徴とする。
【０００８】
請求項２記載の発明は、請求項１に記載の画像読取装置において、
前記発光制御手段は、前記画像読み取り手段が前記副走査方向において前記読み取り位置とは異なる位置で前記発光部を発光させる、
ことを特徴とする。
【０００９】
請求項３記載の発明は、請求項１に記載の画像読取装置において、
前記発光制御手段は、前記ガラスの前記原稿読み取り面と交差する側面から前記光を導光させる位置で前記発光部を発光させる、
ことを特徴とする。
【００１０】
請求項４記載の発明は、請求項１に記載の画像読取装置において、
前記発光制御手段は、前記原稿読み取り面に沿った方向に前記光を導光する、
ことを特徴とする。
【００１１】
請求項５記載の発明は、請求項１に記載の画像読取装置において、
前記発光制御手段は、原稿読み取り位置での前記ガラスに対する前記光の入射角度より浅い入射角度で前記光を導光する、  
ことを特徴とする。
【００１２】
請求項６記載の発明は、請求項１ないし５のいずれか１項に記載の画像読取装置において、
前記発光部から出斜した前記光を前記ガラスの前記原稿読み取り面と交差する側面から入射するように導光する導光部材を備えた、
ことを特徴とする。
【００１３】
請求項７記載の発明は、請求項６に記載の画像読取装置において、
前記導光部材は、前記ガラスの前記原稿読み取り面と交差する側面に設けられている、
ことを特徴とする。
【００１４】
請求項８記載の発明は、請求項６に記載の画像読取装置において、
前記導光部材は、前記ガラスの前記原稿読み取り面と交差する側面に対して、前記原稿の移動方向における上流側に設けられている、
ことを特徴とする。
【００１５】
請求項９記載の発明は、請求項６に記載の画像読取装置において、
前記導光部材は、一面から入射した前記光が内部で伝播させる間に前記一面と交差する他面から射出される導光体である、
ことを特徴とする。
【００１６】
請求項１０記載の発明は、請求項６に記載の画像読取装置において、
前記導光部材は、入射した前記光が入射方向と交差する方向に射出される反射面を有する、
ことを特徴とする。
【００１７】
請求項１１記載の発明は、請求項６に記載の画像読取装置において、
前記導光部材は、入射した前記光が入射方向と交差する方向に射出される拡散シートである、
ことを特徴とする。
【００１８】
請求項１２記載の発明は、請求項６に記載の画像読取装置において、
前記導光部材は、前記ガラスの前記原稿読み取り面と交差する側面に対して、前記原稿の移動方向における下流側に設けられている、
ことを特徴とする。
【００１９】
請求項１３記載の発明は、請求項６に記載の画像読取装置において、
前記導光部材は、前記ガラスの前記原稿の移動方向における下流側で前記原稿を案内する案内面の下部に設けられている、
ことを特徴とする。
【００２０】
請求項１４記載の発明は、請求項１２又は１３に記載の画像読取装置において、
前記ガラスの前記原稿読み取り面と交差する側面は前記原稿の移動方向における上流側に向かって傾斜している、
ことを特徴とする。
【００２１】
請求項１５記載の発明は、請求項１ないし１３のいずれか１項に記載の画像読取装置において、
前記発光部は、前記受光部を挟んで副走査方向における上流側と下流側にそれぞれ配置された２つの発光部からなり、前記導光手段に近い発光部が発光する、
ことを特徴とする。
【００２２】
前記課題を解決するために、請求項１６に記載の画像形成装置は、
原稿の画像を読み取る請求項１ないし１５のいずれか１項に記載の画像読取装置と、
前記画像読取装置で読み取った画像を記録媒体に記録する画像記録手段と、を備えた、
ことを特徴とする。
【発明の効果】
【００２３】
請求項１、１６に記載の発明によれば、読み取り位置で読み取り部の発光部が発光する場合と比べて、使用者の目に入る光量を低減することができる。
【００２４】
請求項２ないし５に記載の発明によれば、読み取りガラスの原稿読み取り面と交差する側面から光を入射させることができる。
【００２５】
請求項６記載の発明によれば、画像読み取り用の発光部から発光する光を読み取りガラスの原稿読み取り面と交差する側面に導くことができる。
【００２６】
請求項７に記載の発明によれば、読み取りガラスの原稿読み取り面と交差する側面に光を導くことができる。
【００２７】
請求項８に記載の発明によれば、読み取りガラスの原稿読み取り面と交差する側面に光を導くことができる。
【００２８】
請求項９に記載の発明によれば、画像読み取り用の発光部から発光する光を読み取りガラスの原稿読み取り面と交差する側面に効率よく導くことができる。
【００２９】
請求項１０、１１に記載の発明によれば、安価な構成で画像読み取り用の発光部から発光する光を読み取りガラスの原稿読み取り面と交差する側面に導くことができる。
【００３０】
請求項１２、１３、１４に記載の発明によれば、画像読み取り用の発光部から発光する光を読み取りガラスの原稿読み取り面と交差する側面に直接導くことができる。
【００３１】
請求項１５に記載の発明によれば、使用者に発光部から発光する光が直接照射されず、使用者の目に入る光量を提言することができる。
【図面の簡単な説明】
【００３２】
【図１】画像形成装置の内部構成を示す断面模式図である。
【図２】画像読取装置の内部構成を示す断面構成図である。
【図３】画像読取装置の画像読み取り部を示す断面模式図である。
【図４】画像読取装置の読取制御部の機能ブロック図である。
【図５】キャリッジが異物確認モードの位置にある画像読取部の周辺を示す断面模式図である。
【図６】キャリッジが異物確認モードの位置にある状態での異物確認を説明する断面模式図である。
【図７】異物確認モードの動作を示すフローチャートである。
【図８】変形例１に係る導光部材が配置された画像読取部における異物確認モードを説明する断面模式図である。
【図９】変形例２に係る導光部材が形成された画像読取部の周辺を示す断面模式図である。
【図１０】変形例２に係る導光部材が形成された画像読取部における異物確認モードを説明する断面模式図である。
【図１１】比較例の画像読取装置における異物確認を説明する断面模式図である。
【発明を実施するための形態】
【００３３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００３４】
（１）画像形成装置の全体構成及び動作
図１は本実施形態に係る画像形成装置１の内部構成を示す断面模式図、図２は画像読取装置２の内部構成を示す断面構成図、図３は画像読取装置２の画像読み取り部を示す断面模式図である。以下、図面を参照しながら、画像形成装置１の全体構成及び動作を説明する。
【００３５】
（１．１）全体構成
画像形成装置１は、原稿等のシートＳから画像を読み取って画像データに変換する画像読取装置２、読み取った画像データを記録媒体としての用紙に印刷する画像記録手段としての画像形成部３、ユーザーインターフェイスとしての操作情報部４、画像処理部５、を備えて構成されている。
【００３６】
画像読取装置２は、シート積載部２１と、自動シート送り部２２と、画像読取部２３とを備えて構成されている。自動シート送り部２２は、シート積載部２１に置かれたシートＳを画像読取部２３の読取位置に搬送し、画像読取部２３のＣＣＤ（Charge Coupled Device）ラインセンサ等のイメージセンサＩＳで読み取られた画像は電気信号である画像データに変換される。
【００３７】
画像形成部３は、給紙装置３２、露光装置３３、感光体ユニット３４、現像装置３５、転写装置３６、定着装置３７を備えて構成され、画像処理部５から受け取った画像情報を給紙装置３２から送り込まれた用紙Ｐ上にトナー像として形成する。
【００３８】
画像読取装置２の前面側には、ユーザーインターフェイスとしての操作情報部４が配置されている。操作情報部４は、液晶表示パネル、各種操作ボタン、タッチパネル等を組み合わせて構成され、画像形成装置１の使用者は、操作情報部４を介して各種の設定や指示の入力を行う。また、液晶表示パネルを介して画像形成装置１の使用者へ各種情報を表示する。
【００３９】
画像処理部５は、画像読取装置２で読み取られた画像及び外部機器（例えばパーソナルコンピュータ等）から送信された印刷情報から画像データを生成する。
【００４０】
（１．２）画像形成部
画像形成部３では、画像形成のタイミングに合わせて給紙装置３２から印刷ジョブで印刷の１枚毎に指定された用紙Ｐが画像形成部３へ送り込まれる。
【００４１】
感光体ユニット３４は、給紙装置３２の上方に、それぞれが並列して設けられ、回転駆動する感光体ドラム３４１を備えている。露光装置３３により静電潜像が形成されたそれぞれの感光体ドラム３４１上には、それぞれの現像装置３５によってイエロー（Ｙ）、マゼンタ（Ｍ）、シアン（Ｃ）、黒（Ｋ）のトナー像が形成される。
【００４２】
各感光体ユニット３４の感光体ドラム３４１に形成された各色トナー像は、転写装置３６の中間転写ベルト３６１上に順次静電転写（一次転写）され、各色トナーが重畳された重畳トナー像が形成される。中間転写ベルト３６１上の重畳トナー像は、レジストローラ対３２１から送り出され、搬送ガイドにより案内された用紙Ｐに二次転写ローラ３６２によって一括転写される。  
【００４３】
定着装置３７は一対の加熱モジュール３７１と加圧モジュール３７２の圧接領域によって定着ニップＦＮ（定着領域）が形成される。
転写装置３６においてトナー像が一括転写された用紙Ｐは、トナー像が未定着の状態で搬送ガイド３６３を介して定着装置３７の定着ニップＮＦに搬送され、一対の加熱モジュール３７１と加圧モジュール３７２により、加熱と圧着の作用でトナー像が定着される。
【００４４】
定着トナー像が形成された用紙Ｐは、切替ゲート３７４にガイドされ、第１排出ローラ対３７３から画像形成装置１上面の排紙トレイ部ＴＲ１に排出・収容される。また、両面印刷のために反転したり、画像記録面を上側にして排出する場合は、切替ゲート３７４で搬送路３７５に向って搬送方向が切り替えられる。
【００４５】
（１．３）画像読取装置
シート積載部２１は、画像が記録されたシートＳが載置されるシートトレイ２１２を備えている。
自動シート送り部２２は、シートトレイ２１２上に積載されたシートＳを上から順に取り出すナジャーローラ２２１と、フィードローラ２２２及びリタードローラ２２３からなる分離部２２４を備えている。
分離部２２４では、フィードローラ２２２とリタードローラ２２３とが対となって、シートＳが重なってニップ部Ｎに送り出された場合に、シートＳを分離して（捌いて）、一枚ずつ画像読取部２３に搬送する。
【００４６】
シート搬送路Ｇ１には、シートＳの搬送方向に対して、フィードローラ２２２の下流側の位置に、テイクアウェイローラ２２５が配置されている。テイクアウェイローラ２２５は、フィードローラ２２２で送り出されるシートＳを、プレレジローラ２２６へ搬送する。
【００４７】
プレレジローラ２２６の下流側には、シートＳの搬送タイミングを調整するレジローラ２２７が配置されている。プレレジローラ２２６は停止しているレジローラ２２７にシートＳの先端を突き当てた状態でループを形成して斜行を補正する。レジローラ２２７は読み取りの開始タイミングに合わせて回転駆動され、シートＳはテイクアウェイローラ２２５及びプレレジローラ２２６でループを保持された状態でプラテンローラ２２８によって、読取ガラスＰＧ１に押し当てられて表面を画像読取部２３で読み取られる。
【００４８】
読取ガラスＰＧ１を通過したシートＳは、シートガイドＳＧに案内されて読取センサ２３２へ搬送される。表面を画像読取部２３で読み取られたシートＳは、読取センサ２３２で裏面を読み取られながらシート搬送路Ｇ２内を搬送され、排出ローラ２２９でシート積載部２１の下方に形成された排紙トレイ２１６に排出される。
【００４９】
画像読取部２３は、筐体２４の上面にシートＳが載置されるプラテンガラスＰＧ２が配置され、筐体２４の内部に、副走査方向（左右方向：Ｘ方向）に往復移動可能に設けられたキャリッジ２５が配置されて構成されている。
キャリッジ２５には、プラテンガラスＰＧ２上のシートＳを照射するＬＥＤ（Light  Emitting  Diode）からなる第１ランプＨ１、第２ランプＨ２、シートＳからの反射光を所定の倍率で結像させる結像レンズＬ、イメージセンサ（ＣＭＯＳを用いた固体撮像素子）ＩＳが搭載されている。イメージセンサＩＳは、シートＳの画像を読み取るための読み取りセンサとなるもので、シートＳからの反射光に応じたアナログの画像信号を生成する。
【００５０】
シートＳがプラテンガラスＰＧ２上に載置された場合には、キャリッジ２５を副走査方向（Ｘ方向）に順次移動させながら１ラインごとに画像情報を読み取ることにより、シートＳからの反射光をイメージセンサＩＳに導いてシートＳ全体の画像を読み取る。
【００５１】
（２）画像読取装置の要部構成と動作
図４は画像読取装置２の読取制御部の機能ブロック図、図５はキャリッジ２５が異物確認モードの位置にある画像読取部の周辺を示す断面模式図、図６はキャリッジ２５が異物確認モードの位置にある状態での異物確認を説明する断面模式図、図７は異物確認モードの動作を示すフローチャート、図１１は比較例の画像読取装置における異物確認を説明する断面模式図である。
【００５２】
（２．１）読取制御部の全体構成
図４に示すように、画像読取装置２は、読取制御部２００により、シート積載部２１、自動シート送り部２２、画像読取部２３の動作制御を行っている。
搬送制御部２０１は、シート積載部２１でのセンサＳＮＲ１によるシートＳのセット有無、サイズ等の検知情報を取得する。また、自動シート送り部２２における搬送モータＭ１（不図示）の駆動制御、シート搬送路Ｇ１におけるシートの通過を検知するセンサＳＮＲ２の検知情報、自動シート送り部２２の開閉を検知する開閉センサＳＮＲ３の検知情報の取得を行う。
【００５３】
走査制御部２０２は、読取ガラスＰＧ１及びプラテンガラスＰＧ２の下方を走査するための走査モータＭ２（不図示）を駆動制御するとともに、読取ガラスＰＧ１を搬送されるシートの一面（表面）を読み取る原稿読み取り位置を検知するホームポジション（ＨＰ）センサＳＮＲ４の検知情報を取得する。
点灯制御部２０３は、第１ランプＨ１、第２ランプＨ２の各発光素子を、それぞれの駆動電流信号に基づき点灯制御する。
【００５４】
（２．２）異物確認モード
画像読取装置２においては、シートＳは、プラテンローラ２２８によって読取ガラスＰＧ１に押し当てられてその一面（表面）を画像読取部２３で読み取られ、読取ガラスＰＧ１の原稿読み取り面ＰＧ１ａにゴミや汚れ等の異物Ｑが付着していると、その異物Ｑも原稿画像の一部と誤認されてしまう。このゴミや汚れは、シートＳが搬送されることによりシートＳから紙粉が落ちたりシートＳに付着した修正液などが剥がれたりして読取ガラスＰＧ１上に、残ったり付着したりするものである。
【００５５】
図１１には、読取ガラスＰＧ１の原稿読み取り面ＰＧ１ａの下側から発光部が発光し光を照射させてゴミや汚れ等の異物を確認させる処理を行う比較例の画像読取装置３００における態様を示している。
図１０に示すように、キャリッジ２５が原稿読み取り位置に位置している状態で、第１ランプＨ１を発光させて読取ガラスＰＧ１の下側から光を発光させて原稿読み取り面ＰＧ１ａに付着している異物Ｑを照射すると、異物で散乱した散乱光Ｌ１は読取ガラスＰＧ１の上方から目視可能であるが、第１ランプＨ１から出射した直接光Ｌ２も同時に目視されることになる。直接光Ｌ２に比べて異物Ｑで散乱した散乱光Ｌ１は光強度が弱く、視認されにくい、すなわち、使用者にとっては汚れが見えにくくなるという虞があった。また、直接光が使用者の目に入射すると、使用者が眩しく感じる虞もあった。
【００５６】
本実施形態に係る画像読取装置２は、異物Ｑの視認性を高めるために、読取ガラスＰＧ１の原稿読み取り面ＰＧ１ａと交差する側面ＰＧ１ｂから入光するように光を発光させて使用者にゴミや汚れ等の異物を視認して確認させる異物確認モードとして動作する。
詳細は後述するが、この異物確認モードにおいては、副走査方向において原稿読み取り位置とは異なる位置にキャリッジ２５を移動させて読取ガラスＰＧ１に光を照射する。その際、導光部材２３０により、第１ランプＨ１の光源から発した光が読取ガラスＰＧ１に対して原稿読み取り面ＰＧ１ａと交差する方向から照射されるようにする。
【００５７】
図５は、キャリッジ２５が異物確認モードの位置にある画像読取部２３の周辺を示す断面模式図である。原稿読み取り時におけるシートＳの搬送方向は図５の右方（Ｘ方向）であり、図５の左方（−Ｘ方向）をシートＳの搬送方向における上流側とする。導光部材２３０は、図５に示すように、プリズム状に構成され、キャリッジ２５がゴミ表示位置に位置した状態で、第１ランプＨ１と読取ガラスＰＧ１との隙間において第１ランプＨ１の上方で読取ガラスＰＧ１の上流側に配置されている。
【００５８】
導光部材２３０は、その一面２３０ａから入射した光が内部で伝播させる間に一面２３０ａと交差する他面２３０ｂから射出される導光体であり、アクリル樹脂、ＰＥＴ樹脂またはＰＣ樹脂の光透過性樹脂またはガラス材料で形成されている。
【００５９】
図６に示すように、導光部材２３０の一面２３０ａには、イメージセンサＩＳを挟んで副走査方向における上流側と下流側にそれぞれ配置された第１ランプＨ１、第２ランプＨ２のうち上流側に配置された第１ランプＨ１が発光して光が入光する。一面２３０ａから入光した光は、導光部材２３０の内部で伝播しプリズム面２３０ｃで反射して読取ガラスＰＧ１の側面ＰＧ１ｂに向かって他面２３０ｂから出射する。
【００６０】
導光部材２３０の他面２３０ｂから出射した光は読取ガラスＰＧ１の側面ＰＧ１ｂから読取ガラスＰＧ１に入光して読取ガラスＰＧ１の内部で伝播する。読取ガラスＰＧ１の内部で原稿読み取り面ＰＧ１ａ及び下面ＰＧ１ｃで反射しながら伝播する光は、読取ガラスＰＧ１の原稿読み取り面ＰＧ１ａに異物Ｑが存在する場合には、異物Ｑで散乱され、散乱光Ｌ１として読取ガラスＰＧ１の上方から視認される。
第１ランプＨ１から発光した光のうち、異物Ｑで散乱されない直接光Ｌ２は読取ガラスＰＧ１の内部に留まり外部には出射しない。また、下流側の第２ランプＨ２は消灯しており、使用者には異物Ｑで散乱された散乱光Ｌ１のみが目視される。
これにより、読取ガラスＰＧ１上のゴミや汚れ等の異物を使用者に目視で見えやすくして確認させることができる。
【００６１】
このように、原稿読み取り面ＰＧ１ａにおける異物Ｑを使用者に目視で確認させる異物確認モードの動作を、図７に示すフローチャートを用いて説明する。
読取制御部２００は、自動シート送り部２２の開閉センサＳＮＲ３（図４における開閉センサＳＮＲ３  参照）の検知結果から、自動シート送り部２２が開かれたか否かを判別する（Ｓ１０１）。
【００６２】
走査制御部２０２は、自動シート送り部２２が開かれたら（Ｓ１０１：Ｙｅｓ）処理をステップＳ１０２に進め、キャリッジ２５を原稿読み取り位置であるホームポジションから異物確認モードとして動作する位置に移動させるよう制御する（Ｓ１０２）。すなわち、走査制御部２０２は、ホームポジション（ＨＰ）センサＳＮＲ４を基準にして走査モータＭ２を駆動して、キャリッジ２５を原稿読み取り位置の上流側である異物確認モードとして動作する位置へ移動させる。
【００６３】
そして、点灯制御部２０３は、イメージセンサＩＳを挟んで副走査方向における上流側に配置された第１ランプＨ１のみを発光させる（Ｓ１０３）。これにより、第１ランプＨ１から発光した光が、導光部材２３０を介して導光部材２３０の他面２３０ｂから出射され、読取ガラスＰＧ１の側面ＰＧ１ｂへ照射され、異物Ｑの目視が容易になる。
【００６４】
使用者は通常、異物Ｑを目視で発見するとその部分を清掃し、清掃が終了すれば自動シート送り部２２を閉じる。従って、走査制御部２０２は、開閉センサＳＮＲ３の検知結果から、自動シート送り部２２が閉じられたか否かを判別する（Ｓ１０４）。自動シート送り部２２が閉じられた場合（Ｓ１０４：Ｙｅｓ）、点灯制御部２０３は、第１ランプＨ１を消灯させ（Ｓ１０５）、走査制御部２０２は、キャリッジ２５をホームポジション位置（画像読み取り位置）へ移動させて（Ｓ１０６）待機させるよう制御する。
【００６５】
「変形例１」
図８は変形例１に係る導光部材が配置された画像読取部２３における異物確認モードを説明する断面模式図である。図８に示すように、導光部材としての反射板２３０Ａは、キャリッジ２５が異物確認モードの位置に位置した状態で、第１ランプＨ１と読取ガラスＰＧ１との隙間において第１ランプＨ１の上方で読取ガラスＰＧ１の上流側に配置されている。
【００６６】
反射板２３０Ａは、白色の拡散反射ができる板状部材、金属などの高い反射率を有する材料からなる板状部材、高い反射率を有する材料からなる金属薄膜を表面層として含んだ板状部材であっても良く、もしくは金属粒子や白顔料を分散した樹脂を板状部材に塗布することで形成されても良く、もしくはこれらの材料を含むフィルムを板状部材に貼り付けることで形成されても良い。
【００６７】
図８に示すように、上流側に配置された第１ランプＨ１から発光した光は、反射板２３０Ａの反射面２３０Ａａで反射して、読取ガラスＰＧ１の側面ＰＧ１ｂから読取ガラスＰＧ１に入光して読取ガラスＰＧ１の内部で伝播する。
読取ガラスＰＧ１の内部で原稿読み取り面ＰＧ１ａ及び下面ＰＧ１ｃで反射しながら伝播する光は、読取ガラスＰＧ１の原稿読み取り面ＰＧ１ａに異物Ｑが存在する場合には、異物Ｑで散乱され、散乱光Ｌ１として読取ガラスＰＧ１の上方から視認される。
【００６８】
尚、導光部材としては反射板２３０Ａに代えて、拡散板２３０Ｂを配置してもよい。拡散板２３０Ｂとしては、例えば散乱粒子が分散された樹脂フィルムを板状部材に貼り付けることで形成されてもよく、散乱粒子に代えて、板状部材の表面に微細なレンズ構造を形成してもよい。散乱粒子は、光を散乱させるものであれば特に限定されず、有機粒子であっても無機粒子であってもよい。
有機粒子としては、例えばアクリル樹脂、シリコン樹脂、スチレン樹脂等の樹脂粒子が挙げられる。無機粒子としては、例えば、シリカ、アルミナ等のセラミック粒子や、アルミニウム、銅、鉄等の金属粒子が挙げられる。
【００６９】
「変形例２」
図９は変形例２に係る導光部材が形成された画像読取部２３の周辺を示す断面模式図、図１０は変形例２に係る導光部材が形成された画像読取部２３における異物確認モードを説明する断面模式図である。
図９に示すように、導光部材は読取ガラスＰＧ１Ａの原稿読み取り面ＰＧ１Ａａと交差する側面ＰＧ１Ａｂに対してシートＳの移動方向における下流側に、上流側に向かって傾斜した側面ＰＧ１Ａｄとして設けられている。具体的には、読取ガラスＰＧ１Ａの原稿読み取り面ＰＧ１Ａａと交差する側面のうち、下流側の側面ＰＧ１ＡｄがシートＳの移動方向における上流側に向かって傾斜した傾斜面として形成され、読取ガラスＰＧ１を通過したシートＳを読取センサ２３２へ向かって案内するシートガイドＳＧの下部に位置している。
【００７０】
このように下流側の側面ＰＧ１Ａｄが上流側に向かって傾斜している読取ガラスＰＧ１Ａに対して、副走査方向において原稿読み取り位置とは異なる位置である下流側にキャリッジ２５を移動させて光を照射する。具体的には、図１０に示すように、キャリッジ２５を第１ランプＨ１が導光手段である読取ガラスＰＧ１Ａの下流側の側面ＰＧ１Ａｄの下方になるように副走査方向の下流側に移動させて第１ランプＨ１を発光させる。
【００７１】
係る異物確認モードで第２ランプＨ２は消灯した状態で第１ランプＨ１を発光させると、図１０に示すように、下流側に配置された第１ランプＨ１から発光した光は、読取ガラスＰＧ１Ａの下流側の側面ＰＧ１Ａｄで反射して、読取ガラスＰＧ１Ａの内部で伝播する。
読取ガラスＰＧ１Ａの内部で原稿読み取り面ＰＧ１Ａａ及び下面ＰＧ１Ａｃで反射しながら伝播する光は、読取ガラスＰＧ１Ａの原稿読み取り面ＰＧ１Ａａに異物Ｑが存在する場合には、異物Ｑで散乱され、散乱光Ｌ１として読取ガラスＰＧ１Ａの上方から視認される。
【００７２】
第１ランプＨ１から発光した光のうち、読取ガラスＰＧ１Ａの内部で伝播しない直接光Ｌ２は、使用者が画像読取装置２の左右方向（シート搬送方向）における中央部に位置している場合には使用者には入光せず、第１ランプＨ１から下流側へ向かって発光する光は読取ガラスＰＧ１Ａの下流側に位置するシートガイドＳＧによって遮られる。また、下流側の第２ランプＨ２は消灯しており、使用者には異物Ｑで散乱された散乱光Ｌ１のみが目視される。
これにより、読取ガラスＰＧ１上のゴミや汚れを使用者に目視で見えやすくすることができる。
【００７３】
本実施形態において、画像読取部２３はＬＥＤからなる第１ランプＨ１、第２ランプＨ２を備えている例について説明したが、第１ランプＨ１、第２ランプＨ２はＬＥＤに限らず蛍光管であってもよい。また、第１ランプＨ１、第２ランプＨ２に、特に光の直進性が高いＬＥＤを採用した場合、異物確認モードでは読み取り位置とは異なる位置にあるため、使用者の目に直接入射する光量が低減される。
【符号の説明】
【００７４】
１・・・画像形成装置
２・・・画像読取装置
２１・・・シート積載部
２２・・・自動シート送り部
２３・・・画像読取部
２４・・・筐体
２５・・・キャリッジ
第１ランプ・・・Ｈ１
第２ランプ・・・Ｈ２
ＰＧ１・・・読取ガラス
ＰＧ２・・・プラテンガラス
ＳＧ・・・シートガイド
２３０・・・導光部材
２３０Ａ・・・反射板
２３０Ｂ・・・拡散板
３・・・画像形成部
４・・・操作情報部
５・・・画像処理部
【図１】
2020178157.tif 000003
【図２】
2020178157.tif 000004
【図３】
2020178157.tif 000005
【図４】
2020178157.tif 000006
【図５】
2020178157.tif 000007
【図６】
2020178157.tif 000008
【図７】
2020178157.tif 000009
【図８】
2020178157.tif 000010
【図９】
2020178157.tif 000011
【図１０】
2020178157.tif 000012
【図１１】
2020178157.tif 000013